(57)【特許請求の範囲】
【請求項１】
一端が閉塞され、他端が開口端に形成されて尿を収容するための細長い筒状の収容筒と、
一端が閉塞端に形成され、他端が上記収容筒の開口端部の取り付け及び取り外しが自在な開口端に形成されると共に、側面に採尿口が形成されて採尿するための細長い筒状の採尿筒と、
一端が閉塞され、他端が開口された細長い筒状に形成されると共に、上記採尿筒の挿入及び抜き取りが自在に成るように該採尿筒より僅かに大径に形成され、上記採尿口を覆うためのカバー筒とを備えた採尿用容器であって、
上記収容筒の閉塞側の端部の内面には、尿の沈殿物が付着する粗面部が形成され、
上記収容筒の閉塞側には、閉塞端に向かって先細となる先細部が形成される一方、先細部の内周面の先端には平坦な底面が形成され、
上記粗面部は、上記先細部の内周面において、上記底面の外周端から側面の全周に亘って所定幅で形成されており、上記底面には上記粗面部は形成されていない
ことを特徴とする採尿用容器。
【発明の詳細な説明】
【技術分野】
【０００１】
本発明は、病院や検査センター等で実施されている尿検査のために使用される採尿用容器に関するものである。
【背景技術】
【０００２】
一般に、病院や検査センターなどにおいては、数多くの尿検査が実施されている。
【０００３】
この尿検査に使用される採尿用容器には、従来、特許文献１に開示されているように、尿を収容する収容筒と、該収容筒の開口端に取り付けられ、側面に採尿口が形成されて採尿する採尿筒と、該採尿筒が挿入自在に成るように上記採尿口を覆うカバー筒とより構成されているものがある。
【０００４】
上記採尿用容器は、収容筒に採尿筒を取り付けた組み立て状態とする。そして、被検査者は、採尿筒を下方に向けて収容筒を把持する。該被検査者は、採尿口に尿を掛けることにより、該尿が収容筒に溜まり、尿の採取が終了する。
【０００５】
続いて、上記採尿筒を下方に向けたままカバー筒に挿入する。この結果、汚れ部分である採尿筒が覆われる。その後、例えば、上記採尿用容器の上下を逆にし、収容筒を下側に向けて容器立て等に挿入して検査室等に搬送される。
【先行技術文献】
【特許文献】
【０００６】
【特許文献１】特開２００９−０４７５３７号公報
【発明の概要】
【発明が解決しようとする課題】
【０００７】
従来の採尿用容器は、収容筒の内面が全体に亘って平滑面で形成されていた。上記収容筒は、検査室において尿沈渣の鏡検を行うために、遠心分離器に装着され、遠心分離が行われた後、液体成分を除去して固体成分である沈殿物のみを採取する。
【０００８】
しかしながら、従来、上記収容筒の内面全体が平滑面であるため、液体成分を除去した際、沈殿物も除去される場合があり、沈殿物のみを円滑に採取できないという問題があった。
【０００９】
本発明は、斯かる点に鑑みてなされたものであり、沈殿物のみを円滑に採取できるようにすることを目的とする。
【課題を解決するための手段】
【００１０】
第１の発明は、一端が閉塞され、他端が開口端に形成されて尿を収容するための細長い筒状の収容筒と、一端が閉塞端に形成され、他端が上記収容筒の開口端部の取り付け及び取り外しが自在な開口端に形成されると共に、側面に採尿口が形成されて採尿するための細長い筒状の採尿筒と、一端が閉塞され、他端が開口された細長い筒状に形成されると共に、上記採尿筒の挿入及び抜き取りが自在に成るように該採尿筒より僅かに大径に形成され、上記採尿口を覆うためのカバー筒とを備えた採尿用容器である。そして、上記収容筒の閉塞側の端部の内面には、尿の沈殿物が付着する粗面部が形成されている。
【００１１】
上記第１の発明では、上記収容筒の内面に沈殿物が付着する粗面部が形成されているので、液体成分を除去した後において、粗面部に沈殿物が付着して残存することになり、尿沈渣が精度よく行われる。
【００１２】
また、第１の発明は、上記収容筒の閉塞側に、閉塞端に向かって先細となる先細部が形成される一方、先細部の内周面の先端には平坦な底面が形成され、上記粗面部が、先細部の内周面において、上記底面の外周端から側面の全周に亘って所定幅で形成されており、上記底面には上記粗面部は形成されていないものである。
【００１３】
上記第１の発明では、粗面部が収納筒の底部近傍に形成されているので、沈殿物が確実に付着することになる。
【発明の効果】
【００１４】
本発明によれば、上記収容筒の内面に沈殿物が付着する粗面部を形成しているので、尿検査において、液体成分を除去した際、粗面部に沈殿物が確実に付着して残存することになる。この結果、尿沈渣の鏡検を精度よく行うことができる。
【００１５】
また、本発明によれば、粗面部が収納筒の底部近傍に形成されているので、尿沈渣に要する所定量の沈殿物を確実に付着させることができる。
【図面の簡単な説明】
【００１６】
【図１】図１は、本発明の実施形態を示し、カバー筒を省略した採尿用容器の正面図である。
【図２】図２は、カバー筒を取り付けた採尿用容器の縦断面図である。
【図３】図３は、収容筒の縦断面図である。
【図４】図４は、採尿筒の縦断面図である。
【図５】図５は、カバー筒の縦断面図である。
【発明を実施するための形態】
【００１７】
以下、本発明の実施形態を図面に基づいて詳細に説明する。
【００１８】
図１及び図２に示すように、採尿用容器１は、病院等で行われる尿検査の際に尿を採取するための容器である。
【００１９】
上記採尿用容器１は、採取した尿を収容する収容筒２と、採尿を行うと共に計量を行う採尿筒３と、上記採尿筒３に着脱自在に取り付けられるカバー筒４とより構成されている。
【００２０】
該収容筒２は、図３に示すように、一端が閉塞され、他端が開口された細長い円筒体に形成されている。該収容筒２は、合成樹脂などの透明材料より形成されている。尚、上記収容筒２の材料は、透明材料に限られず、有色半透明材料など各種の材料であってもよいことは勿論である。
【００２１】
上記収容筒２は、図３の左側のほぼ半部の本体部２１と、図３の右側のほぼ半部の先細部２２とを備えている。そして、上記収容筒２は、尿検査装置にセット可能な外径及び長さのスピッツに構成されている。
【００２２】
上記収容筒２の本体部２１は、先細部２２に向かって僅かに細くなるテーパ状に形成され、開口端部の外周面には、採尿筒３を固定するための固定螺子２３が形成されている。上記収容筒２の先細部２２は、本体部２１に連続し、閉塞端に向かって細くなるテーパ状に形成されている。上記収容筒２の先細部２２は、本体部２１のテーパ角度より大きく形成されている。
【００２３】
上記収容筒２の先細部２２の先端部には、第１の標線２ａと第２の標線2aとが形成されている。上記第１の標線２ａ及び第２の標線２ａは、採取した尿を遠心分離して上澄を捨て、尿沈渣試験用のサンプル（１５μｌ；マイクロリットル）を採取するための残尿量を表示するものであって、それぞれ０．１ｍｌ（ミリリットル）及び０．２ｍｌ（ミリリットル）の収納量を表示するように設定されている。
【００２４】
上記収容筒２には、採尿量を示す採尿目盛り２ｂが付されている。該採尿目盛り２ｂは、収容筒２の長手方向に付され、採尿量が識別できるように構成されている。
【００２５】
尚、上記採尿用容器１は、収容筒２のキャップ２５を備えている。該キャップ２５は、上記収容筒２の本体部２１に嵌め込まれ、収容筒２を完全閉鎖するように形成されている。
【００２６】
上記採尿筒３は、図４に示すように、一端が閉塞され、他端が開口された細長い円筒体に形成されている。該採尿筒３は、合成樹脂などの半透明材料より形成されている。尚、上記採尿筒３の材料は、半透明材料に限られず、無着色合成樹脂など各種の材料であってもよいことは勿論である。
【００２７】
上記採尿筒３は、本体部３ａと開口端に形成された大径部３ｂとを備えている。上記本体部３ａは、図４の左側のほぼ半部の計量部３１と、図４の右側のほぼ半部の採尿部３２とより形成されている。上記計量部３１は、一端が閉塞され、尿検査に必要な尿を計量するように構成されている。例えば、上記採尿筒３の計量部３１は、１０ml（ミリリットル）の収容容積に構成され、この容量の場合、上記計量部３１は、例えば、内径が１３．８mmの円筒体に形成され、長さが６９．００mmに形成されている。尚、この計量部３１の収容容積は、１５ml（ミリリットル）や２０ml（ミリリットル）であってもよく、要するに、上記計量部３１の収容容積は、検査等の要望に対応して１０ml（ミリリットル）以上であってもよく、逆に１０ml（ミリリットル）未満であってもよい。
【００２８】
上記採尿筒３の採尿部３２は、一端が計量部３１に連続し、他端が開口された円筒体に形成されている。そして、上記採尿部３２は、採尿口３３と補助口３４とが形成されている。該採尿口３３は、尿の採取時に該尿が注入される開口であって、採尿筒３の外周面から内周面に貫通して形成されている。上記採尿口３３は、採尿筒３の円周方向の過半部を切り欠いて形成され、例えば、軸方向長さが２８．００mmに形成されている。
【００２９】
上記採尿口３３における計量部３１の側の一端は、採尿筒３の径方向に一致する直交面３３ａに形成され、他端は、開口端に向かって傾斜する傾斜面３３ｂに形成されている。そして、上記採尿口３３の直交面３３ａから採尿筒３の閉塞端までが上記計量部３１に形成されている。
【００３０】
上記補助口３４は、採尿口３３と反対側の採尿筒３の外周面から内周面に貫通して形成されている。尚、上記補助口３４の個数は、２つ以上であってもよい。また、上記補助口３４を形成した理由は、採尿時の空気抜き作用を行うようにして採尿の容易化を図るようにすると共に、成形時の変形を防止するようにするためである。
【００３１】
上記大径部３ｂは、採尿部３２の開口端部に連続して形成され、該採尿部３２の外径より大径に形成され、上記収容筒２の開口端部が挿入自在に形成されている。
【００３２】
上記大径部３ｂの内周面には、収容筒２の固定螺子２３にネジ込まれる固定螺子３５が形成されている。そして、上記収容筒２の固定螺子２３と採尿筒３の固定螺子３５とによって収容筒２と採尿筒３とが取り付け及び取り外し自在に構成されている。上記収容筒２の固定螺子２３と採尿筒３の固定螺子３５とは、例えば、収容筒２と採尿筒３とを相対的に３回転又は２回転若しくは１回転で取り付け及び取り外しが行われるように構成されている。
【００３３】
上記大径部３ｂにおける採尿部３２側の端面は、本体部３ａとの間の段差面３ｄに形成され、該段差面３ｄは、採尿筒３の径方向に一致する直交面に形成されている。また、上記大径部３ｂにおける採尿部３２側の外周端部には、覆い部３６が一体形成されている。該覆い部３６は、カバー筒４の端部が挿入可能な内径に形成され、該カバー筒４の端部を覆うように形成されている。
【００３４】
また、上記採尿筒３における本体部３ａの外周面の一部であって開口端と採尿口３３との間には、カバー筒４を固定する固定螺子３７が形成されている。該固定螺子３７は、採尿筒３をカバー筒４に挿入した状態において、カバー筒４の取り付け及び取り外しが行われるように構成されている。
【００３５】
上記カバー筒４は、図５に示すように、一端が閉塞され、他端が開口された細長い円筒体に形成されている。該カバー筒４は、合成樹脂などの着色材料より形成されている。尚、上記カバー筒４の材料は、着色材料に限られず、各種の材料であってもよいことは勿論である。
【００３６】
上記カバー筒４は、採尿筒３の挿入及び抜き取りが自在になるように該採尿筒３より僅かに大径に形成されている。
【００３７】
上記カバー筒４は、採尿口３３を閉鎖して採尿筒３の本体部３ａの全体が挿入される長さに形成されている。該上記カバー筒４は、一端が閉塞され且つ他端が開口されて採尿口３３を閉鎖する本体部４１と、該本体部４１の開口端部に形成された大径部４２とより構成されている。上記大径部４２は、採尿筒３の覆い部３６の内側に挿入されるように形成されている。上記大径部４２の内周面には、採尿筒３の固定螺子３７にネジ込まれる固定螺子４３が形成されている。
【００３８】
上記採尿筒３とカバー筒４との間には、端面シール手段１２と側面シール手段１３と仮止め手段６とが設けられている。
【００３９】
上記端面シール手段１２は、カバー筒４の開口端と採尿筒３との間をシールするものであり、カバー筒４の開口端面４ａと採尿筒３の段差面３ｄとによって構成されている。つまり、上記端面シール手段１２は、図２に示すように、採尿筒３にカバー筒４をネジ込んだ際、カバー筒４における大径部４２の開口端面４ａが採尿筒３における大径部３ｂの段差面３ｄに密着するように構成されている。
【００４０】
上記側面シール手段１３は、カバー筒４の開口端部と採尿筒３の開口端部との間を側面でシールするものであり、カバー筒４に形成された摺り合わせ面４ｂと、採尿筒３に形成された摺り合わせ面３ｅとによって構成されている。上記カバー筒４の摺り合わせ面４ｂは、カバー筒４における本体部４１の内周面の一部であって開口端の周縁に形成されている。上記採尿筒３の摺り合わせ面３ｅは、採尿筒３における本体部３ａの外周面の一部であって開口端と固定螺子３７との間に形成されている。そして、上記カバー筒４の摺り合わせ面４ｂと採尿筒３の摺り合わせ面３ｅとは、図２に示すように、カバー筒４に採尿筒３を挿入すると、互いに密着するように構成されている。
【００４１】
上記仮止め手段６は、図４及び図５に示すように、カバー筒４が採尿筒３に引っ掛かるようにしたものであり、採尿筒３をカバー筒４に挿入した状態に該カバー筒４を採尿筒３に仮止めするためのものである。上記仮止め手段６は、カバー筒４の環状突起６１と、採尿筒３の環状突起６２とにより構成されている。該カバー筒４の環状突起６１は、本体部４１の長手方向のほぼ中央部に位置し、本体部４１の内周面に形成されている。上記採尿筒３の環状突起６２は、本体部３ａにおける採尿口３３と閉塞端部との間に位置し、本体部３ａの外周面に形成されている。上記カバー筒４の環状突起６１と採尿筒３の環状突起６２とは、雄螺子５１が雌螺子５２に嵌り込む前の状態まで採尿筒３をカバー筒４に挿入した際、カバー筒４の環状突起６１が採尿筒３の環状突起６２を乗り越え、カバー筒４が採尿筒３に引っ掛かるように構成されている。
【００４２】
上記収容筒２には、本発明の特徴として粗面部２６が形成されると共に、キャップ２５を固定するための固定用凸部２７が形成されている。
【００４３】
上記粗面部２６は、上記収容筒２の閉塞側の端部の内面に形成され、尿の沈殿物が付着するように構成されている。上記粗面部２６は、収容筒２の先細部２２の内周面において、底面２ｃの外周端から側面の全周に亘って所定幅で形成されている。つまり、上記収容筒２は、内面が平滑な平滑面部２ｄに形成され、収容筒２の先細部２２の先端部の内面が粗面部２６に形成されている。そして、上記粗面部２６は、底面２ｃの外周端から第２の標線2aまでの幅に構成されている。
【００４４】
上記固定用凸部２７は、収容筒２の本体部２１における開口端部の内周面に環状に形成されている。一方、上記キャップ２５には、収容筒２の本体部２１に嵌め込まれる嵌合部２ｅが形成され、該嵌合部２ｅの外周面には、リング状の凸部２ｆが形成されている。そして、上記固定用凸部２７は、キャップ２５を収容筒２に嵌め込んだ際、キャップ２５の凸部２ｆが乗り越えて、「カチン」などの嵌め込み完了音が発するように構成されている。
【００４５】
〈採尿用容器の使用方法〉
次に、上述した採尿用容器１の使用方法について説明する。
【００４６】
先ず、採尿する前の未使用の状態においては、採尿筒３の取付部３５に収容筒２の開口端部が挿入され、採尿筒３の固定螺子３５と収容筒２の固定螺子２３とネジ合わせて該採尿筒３と収容筒２とが取り付けられている。更に、上記採尿筒３は、カバー筒４に挿入され、カバー筒４の環状突起６１が採尿筒３の環状突起６２を乗り越え、カバー筒４が採尿筒３に引っ掛かった仮止め状態に設定されている。
【００４７】
次に、採尿時において、被検査者は、包装袋より採尿用容器１を取出し、カバー筒４を採尿筒３より抜き取る。そして、収容筒２に採尿筒３が取り付けられた状態とし、被検査者は、採尿筒３を下方に向けて収容筒２を把持する。そして、該被検査者は、採尿口３３に尿を掛けることにより、該尿が採尿口３３より採尿筒３に流入し、計量部３１に溜まり、尿の採取が終了する。この採尿時において、所定量（例えば、１０ml）の尿が計量部３１に注入されると、採尿口３３より採尿筒３の外に漏れるので、尿検査に必要な量が確実に採取され、余剰の尿が採取されることがない。
【００４８】
この尿の採取が終了すると、採尿用容器１を検査室等に搬送する。その際の搬送状態は、２つの形態がある。
【００４９】
１つの形態は、図２に示すように、上記採尿筒３を下方に向けたままカバー筒４に挿入する。この結果、汚れ部分である採尿筒３が覆われる。その際、上記カバー筒４に採尿筒３を挿入すると、採尿口３３がカバー筒４によって閉鎖される。続いて、上記カバー筒４に対して採尿筒３を回すと、固定螺子３７，４３によって上記カバー筒４と採尿筒３とが結合して固定される。
【００５０】
また、上記カバー筒４と採尿筒３とを結合すると、図２に示すように、カバー筒４の開口端面４ａが採尿筒３の大径部３ｂの段差面３ｄに当接して密着し、カバー筒４と採尿筒３との間がシールされる。更に、上記カバー筒４に採尿筒３を挿入すると、カバー筒４の摺り合わせ面４ｂと採尿筒３の摺り合わせ面３ｅとが密着し、カバー筒４と採尿筒３との間がシールされる。したがって、採尿の漏れが防止される。
【００５１】
続いて、上記採尿用容器１の上下を逆にし、収容筒２を下側に向けて容器立て等に挿入して検査室等に搬送される。その際、上記採尿筒３を上下を逆にすると、採尿が収容筒２に流れ、該尿が収容筒２に収納される。
【００５２】
その後、検査室等において、上記採尿筒３の覆い部３６を把持し、該採尿筒３を収容筒２に対して回転すると、固定螺子２３，３５が外れる。この固定螺子２３，３５が外れた状態において、収容筒２が採尿筒３及びカバー筒４より外れる。そして、上記尿が収容された収容筒２のみを検査装置にセットする。
【００５３】
一方、上記搬送状態の他の形態は、図３に示すように、収容筒２にキャップ２５を取り付けて搬送する形態である。その際においても、採尿が終了すると、上記採尿筒３を下方に向けたままカバー筒４に挿入する。このカバー筒４に採尿筒３を挿入すると、上述のり、採尿口３３がカバー筒４によって閉鎖される。
【００５４】
その後、上記採尿用容器１を上下を逆にすると、計量部３１の採尿が収容筒２に流れ、該尿が収容筒２に収納される。この状態において、採尿筒３と収容筒２の固定螺子３５，２３を外し、採尿筒３及びカバー筒４を同時に収容筒２より取り外す。この結果、上記尿が収容された収容筒２のみとなり、この収容筒２の開口端にキャップ２５を嵌め込み、容器立て等に立てて検査室等に搬送される。この検査室等では、キャップ２５を収容筒２より外し、該収容筒２を検査装置にセットすることになる。このキャップ２５を収容筒２に嵌め込んだ際、キャップ２５の凸部２ｆが乗り越えて、「カチン」などの嵌め込み完了音が発する。
【００５５】
上記尿検査において、収容筒２は、遠心分離器に装着され、液体成分と固体成分とが分離された後、デカンテーションを行い、上澄の液体成分を捨てる。そして、上記収容筒２を反転させて液体成分を除去することになるが、上記収容筒２に粗面部２６が形成されているので、この粗面部２６に沈殿物が付着して残存することになる。
【００５６】
−実施形態の効果−
上記実施形態によれば、上記収容筒２の内面に沈殿物が付着する粗面部２６を形成しているので、尿検査において、液体成分を除去した際、粗面部２６に沈殿物が確実に付着して残存することになる。この結果、尿沈渣の鏡検を精度よく行うことができる。
【００５７】
また、上記粗面部２６が収納筒の底部近傍に形成されているので、尿沈渣に要する所定量の沈殿物を確実に付着させることができる。
【００５８】
また、以上の実施形態は、本質的に好ましい例示であって、本発明、その適用物、あるいはその用途の範囲を制限することを意図するものではない。
【産業上の利用可能性】
【００５９】
以上説明したように、本発明は、尿検査のための採尿用容器について有用である。
【符号の説明】
【００６０】
１            採尿用容器
２            収容筒
２１          本体部
２２          先細部
２５          キャップ
２６          粗面部
２７          固定用凸部
２ｃ          底面
２ｄ          平滑面部
３            採尿筒
３３          採尿口
４            カバー筒
【図１】
0005802899.tif 000002
【図２】
0005802899.tif 000003
【図３】
0005802899.tif 000004
【図４】
0005802899.tif 000005
【図５】
0005802899.tif 000006